(57)【要約】【課題】本発明は、一般的なＬＥＤを有する照明器具が提供する照明機能に加え、例えば有機ＥＬディスプレイなどの表示部へ任意の文字又は図形などの情報を表示することができる、デザイン性とインテリア性に富んだ照明器具を提供することを目的とする。【解決手段】本願の発明に係る照明器具は、ＬＥＤ５と、該ＬＥＤ５を覆い、該ＬＥＤ５の光を透過する表示部６と、該表示部６へ表示させる情報及び該ＬＥＤ５の明るさを制御する制御部１１と、を備えたことを特徴とする。【選択図】図１
2019216066.tif 000002
【特許請求の範囲】
【請求項１】
ＬＥＤと、
前記ＬＥＤを覆い、前記ＬＥＤの光を透過する表示部と、
前記表示部へ表示する情報及び前記ＬＥＤの明るさを制御する制御部と、を備えたことを特徴とする照明器具。
【請求項２】
前記制御部は、前記表示部に情報を表示させる際に前記ＬＥＤの調光率を低下させることを特徴とする請求項１に記載の照明器具。
【請求項３】
前記制御部は、前記表示部への情報の表示を終えると前記ＬＥＤの調光率を前記表示部に情報を表示する前の値に戻すことを特徴とする請求項２に記載の照明器具。
【請求項４】
リモコン又はスマートフォンから前記表示部へ表示する情報を受信する無線通信部を備え、
前記制御部は前記無線通信部で受信した情報を前記表示部に表示させることを特徴とする請求項１から３のいずれか１項に記載の照明器具。
【請求項５】
商用電源の供給がないときに、前記表示部と前記制御部に電力を供給する蓄電池を備えたことを特徴とする請求項１から４のいずれか１項に記載の照明器具。
【請求項６】
前記蓄電池は、太陽電池を有し、前記ＬＥＤの発光によって電力を得ることを特徴とする請求項５に記載の照明器具。
【請求項７】
前記ＬＥＤの発光する光を検知する照度センサを備え、
前記制御部は、前記照度センサによって検知された照度が予め定められた値より小さいときにだけ前記表示部へ情報を表示させることを特徴とする請求項１から６のいずれか１項に記載の照明器具。
【請求項８】
前記ＬＥＤの発光する光を検知する照度センサを備え、
前記制御部は、前記照度センサによって検知された照度が予め定められた値より大きいときに、前記表示部の色を変化させ、前記ＬＥＤの光の透過率を低下させることを特徴とする請求項１から６のいずれか１項に記載の照明器具。
【請求項９】
人感センサを備え、
前記制御部は、前記人感センサで人が検知されると、前記表示部へ情報を表示させることを特徴とする請求項１から８のいずれか１項に記載の照明器具。
【請求項１０】
前記表示部への情報の表示は、前記情報の明滅により行うことを特徴とする請求項９に記載の照明器具。
【発明の詳細な説明】
【技術分野】
【０００１】
本発明は照明器具に関する。
【背景技術】
【０００２】
特許文献１には、透明な太陽電池を組み合わせた有機ＥＬディスプレイシステムが開示されている。この有機ＥＬディスプレイシステムは、ディスプレイ自体の紫外光から電力を得る太陽電池と、電力を蓄電し供給する蓄電池と、外界の照度を検出する光センサ−と、有機太陽電池と融合した有機ＥＬディスプレイと、を備えている。この有機ＥＬディスプレイシステムは、送信されてきた広告情報を受信して、透明な有機ＥＬディスプレイに出力表示する処理を行う。
【先行技術文献】
【特許文献】
【０００３】
【特許文献１】特開２００５−７０７４０号公報
【発明の概要】
【発明が解決しようとする課題】
【０００４】
例えば家族への伝言がある場合、携帯端末へのメッセージが一般的であるが必ずメッセージに気づくというわけではなく、例えば家に書置きをしたほうが確実に伝えられるケースがある。一方で家電製品においてはＩｏＴ（Ｉｎｔｅｒｎｅｔ  ｏｆ  Ｔｈｉｎｇｓ）化の流れから一般の性能に加え、様々な機能が求められている。ＬＥＤ照明器具においても同様であり、照明機能に加えて、多機能、デザイン性及びインテリア性が求められている。
【０００５】
本発明は、上述のような課題を解決するためになされたもので、表示部への情報の表示ができる照明器具を提供することを目的とする。
【課題を解決するための手段】
【０００６】
本願の発明に係る照明器具は、ＬＥＤと、該ＬＥＤを覆い、該ＬＥＤの光を透過する表示部と、該表示部へ表示する情報及び該ＬＥＤの明るさを制御する制御部と、を備えたことを特徴とする。
【０００７】
本発明のその他の特徴は以下に明らかにする。
【発明の効果】
【０００８】
本発明によれば、ＬＥＤを覆いＬＥＤの光を透過する表示部を設けたことで、情報の表示ができる照明器具を提供することができる。
【図面の簡単な説明】
【０００９】
【図１】実施の形態１に係る照明器具の例を示す図である。
【図２】実施の形態１に係る照明器具の動作例を示すフローチャートである。
【図３】実施の形態２に係る照明器具の例を示す図である。
【図４】実施の形態２に係る照明器具の動作例を示すフローチャートである。
【図５】実施の形態３に係る照明器具の例を示す図である。
【図６】実施の形態３に係る照明器具の動作例を示すフローチャートである。
【図７】実施の形態４に係る照明器具の動作例を示すフローチャートである。
【図８】実施の形態５に係る照明器具の例を示す図である。
【図９】実施の形態５に係る照明器具の動作例を示すフローチャートである。
【図１０】実施の形態６に係る照明器具の例を示す図である。
【発明を実施するための形態】
【００１０】
本発明の実施の形態に係る照明器具について図面を参照して説明する。同じ又は対応する構成要素には同じ符号を付し、説明の繰り返しを省略する場合がある。
【００１１】
実施の形態１．
図１は、実施の形態１に係る照明器具の例を示す図である。この照明器具は例えば天井９に埋め込まれる。点灯装置２は、商用電源１から入力される交流電圧を直流電圧へ変換し、定電流制御により一定の電流を出力する。出力された電流は、ＬＥＤモジュール基板８に実装された複数のＬＥＤ５へ供給され、ＬＥＤ５が一定の明るさで点灯する。
【００１２】
ＬＥＤモジュール基板８は筐体７に取り付けられている。筐体７には、ＬＥＤ５を覆い、ＬＥＤ５の光を透過する表示部６が取り付けられている。表示部６は例えば透明な有機ＥＬディスプレイである。
【００１３】
制御部１１は、点灯装置２と表示部６に接続されている。制御部１１は、表示部６へ情報を表示するとともに、点灯装置２に指令を出すことでＬＥＤ５の明るさを制御する。制御部１１の各機能は処理回路により実現される。処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。制御部１１の各機能について、一部を専用のハードウェアで実現し、一部をソフトウェアまたはファームウェアで実現するようにしてもよい。このように、処理回路は、ハードウェア、ソフトウェア、ファームウェア、またはこれらの組み合わせによって、各機能を実現することができる。
【００１４】
図１の照明器具は、リモコン又はスマートフォンなどの端末１０から表示部６へ表示する情報を受信する無線通信部４を備えている。破線の両方向矢印は、端末１０と無線通信部４が双方向通信できることを示している。制御部１１は無線通信部４で受信した情報を表示部６に表示させる。
【００１５】
ＡＣ/ＤＣコンバータ３は商用電源１から入力される交流電圧を直流電圧へ変換し、無線通信部４と制御部１１の電源電圧を生成する。例えば、表示部６の電源電圧は制御部１１で生成し、表示部６へ供給することができる。
【００１６】
図２は、実施の形態１に係る照明器具の動作例を示すフローチャートである。まず、ステップＳ１、Ｓ２にて、無線通信部４が端末１０から文字情報を受信し、受信した情報を制御部１１へ送信する。これにより破線で囲まれた制御部１１による処理が始まる。ステップＳ３−Ｓ５では、端末１０から無線通信部４へ送信された文字情報を制御部１１が読み込み表示部６に表示させる。制御部１１は、例えば、表示部６へ文字を表示させると同時にＬＥＤ５を任意の明るさへ暗くし、表示部６へ表示される文字を見えやすくする制御を行うことができる。つまり、制御部１１は、表示部６に情報を表示させる際にＬＥＤ５の調光率を低下させることができる。
【００１７】
次いでステップＳ６にて、予め定められた時間継続して表示部６への文字表示がされたか判定する。予め定められた時間が経過していれば、ステップＳ７にて表示部６への文字表示がオフされ、ＬＥＤ５の明るさを元に戻す制御を行う。すなわち、制御部１１は、表示部６への情報の表示を終えるとＬＥＤ５の調光率を表示部６に情報を表示する前の値に戻す。ＬＥＤ５の調光率を低下させてから元に戻す処理はステップＳ８、Ｓ９、Ｓ１０に示されている。
【００１８】
制御部１１が無線通信部４から受信する情報は、表示部６へ表示する文字情報又は表示部６への電力供給のオン/オフ情報、すなわち文字表示のオン/オフなどの情報である。端末１０は無線通信部４から情報を受信し、例えば表示部６に表示される文字情報を端末１０に表示させることができる。これは表示部６の表示の確認を可能とする。表示部６へ表示させる情報は文字だけでなく図形などであってもよい。また、無線通信部４に代えて有線通信を行ってもよい。
【００１９】
実施の形態１に係る照明器具はＬＥＤ５の光を透過する表示部６を備えたため、デザイン性とインテリア性に富み、かつ、表示部６に任意の情報を表示させることができるものである。なお、以下の実施の形態に係る照明器具は実施の形態１との類似点が多いので実施の形態１との相違点を中心に説明する。
【００２０】
実施の形態２．
図３は、実施の形態２に係る照明器具の例を示す図である。この照明器具は、実施の形態１の照明器具に蓄電池１２を付加したものである。蓄電池１２は例えば商用電源１から得た電力を充電する装置である。別の例として、蓄電池は、太陽電池を有し、ＬＥＤ５の発光によって電力を得ることとしてもよい。蓄電池１２は、商用電源１の供給がないときに、表示部６と制御部１１に電力を供給する。
【００２１】
図４は、実施の形態２に係る照明器具の動作例を示すフローチャートである。ステップＳａにて制御部１１は商用電源１の供給有無を判定し、供給があればステップＳｂにて商用電源１から表示部６と制御部１１への電力供給を行う。停電などによって商用電源１の供給がなければステップＳｃにて蓄電池１２から表示部６と制御部１１への電力供給を行う。このように電力供給が確保された状態で、ステップＳｄにて端末１０からの指令に基づいた表示部６への文字表示が行われる。実施の形態２の照明器具によれば、停電があっても表示部６に文字を表示させることができる。
【００２２】
実施の形態３．
図５は、実施の形態３に係る照明器具の例を示す図である。この照明器具は、ＬＥＤ５の発光する光を検知する照度センサ１３を備えている。制御部１１は、照度センサ１３によって検知された照度が予め定められた値より小さいときにだけ表示部６へ情報を表示する。これにより、ＬＥＤ５の明るさによって透明な表示部６に表示される文字が見えにくくなる問題を解消できる。
【００２３】
図６は、実施の形態３に係る照明器具の動作例を示すフローチャートである。ステップＳ１、Ｓ２において制御部１１が無線通信部４から指令を受けると、ステップＳ２０にて照度センサ１３の情報が参照される。照度センサ１３はＬＥＤ５が発光する光を検知し、ＬＥＤ５の点灯の有無を検知し、検知結果を制御部１１へ送信する。制御部１１によって照度センサ１３が光を検知したこと又は明るさが予め定められた明るさ以上であると判定されると、ステップＳ２１にて表示部６の表示をオフする。つまり、ＬＥＤ５の点灯時は表示部６の文字表示をオフにする。
【００２４】
他方、ステップＳ２０にて、ＬＥＤ５が消灯又は照度が予め定められた値より小さいと判定されると、ステップＳ２２にて表示部６に情報を表示させる。このような処理は、ＬＥＤ５の電流に応じて表示部６への表示の有無を変更することで実現してもよい。実施の形態３によれば、ＬＥＤ５の点灯状態が変化したことを検知し表示部６への文字表示のオン／オフを自動で制御することで、ＬＥＤ５の点灯中に表示部６に表示される文字が見えにくくなる問題を解決できる。
【００２５】
実施の形態４.
実施の形態４に係る照明器具の構成例は、実施の形態３と同様であるから、図５によって表現することができる。人が照明器具を真下から見上げると、透明な表示部６を介して点灯中のＬＥＤ５の粒が見えてしまい、使用場所によっては景観にそぐわないという問題があった。そこで、実施の形態４では、制御部１１は、照度センサ１３によって検知された照度が予め定められた値より大きいときに、表示部６の色を変化させ、ＬＥＤ５の光の透過率を低下させる。ＬＥＤ光の表示部６の透過率が低下することで、人が照明器具を見上げたときに、ＬＥＤ５の粒が見えにくくなる。例えば、表示部６の色をＬＥＤ５の発光色又はそれに近い色に変化させることで、ＬＥＤ５の粒を見えにくくすることができる。
【００２６】
図７は、実施の形態４に係る照明器具の動作例を示すフローチャートである。ステップＳ２０にて、照度センサ１３によってＬＥＤ５が点灯中であることを検知した場合、そのことが制御部１１へ伝えられる。これを受けて制御部１１はステップＳ２５にて、表示部６の色を変化させて、ＬＥＤ５の光を透過しづらくして、ＬＥＤ５の粒を見えにくくする。例えば、表示部６の色をＬＥＤ５の発光色へ近づける。
【００２７】
他方、ステップＳ２０にて、ＬＥＤ５の光が予め定められた明るさより暗かった場合には、ステップＳ２４に進み、表示部６の色を変化させずに、再びステップＳ２０の処理を行う。ＬＥＤ５が特定の明るさに対して明るいか、暗いかを基準として、表示部６の色変化の有無を切り替えることができる。
【００２８】
実施の形態５.
図８は、実施の形態５に係る照明器具の例を示す図である。この照明器具は、人感センサ１４を備えている。人感センサ１４は例えば照明器具の下方における人を検知する。人感センサ１４で人が検知されると、制御部１１は表示部６へ情報を表示する。
【００２９】
図９は、実施の形態５に係る照明器具の動作例を示すフローチャートである。ステップＳ３０では、表示部６の消灯中に、人感センサ１４にて人が検知されたか判定する。人が検知された場合、ステップＳ３１にて制御部１１は表示部６に情報を表示させる。例えば、表示部６への情報の表示は、情報の明滅により行うこととしてもよい。情報を明滅させることは人に対して情報を強調して知らせる効果がある。
【００３０】
他方、ステップＳ３０にて、一定の時間人感センサ１４にて人がいることを検知できない場合は、ステップＳ３４へ処理が進められる。ステップＳ３４では制御部１１は表示部６への文字表示を控え、再度ステップＳ３０の処理に進む。
【００３１】
このように、実施の形態５では、人感センサ１４で人が検知されたときに表示部６へ情報を表示する。よって、無駄な情報表示を回避できる。
【００３２】
実施の形態６．
図１０は、実施の形態６に係る照明器具の例を示す図である。この照明器具は、実施の形態２で説明した蓄電池１２、実施の形態３で説明した照度センサ１３、及び実施の形態５で説明した人感センサ１４を備え、上述した全ての機能を有する。実施の形態６の照明器具は、照明機能に多くの機能が付加された多機能の照明器具を提供することができるものである。
【符号の説明】
【００３３】
１  商用電源、  ２  点灯装置、  ３  ＡＣ／ＤＣコンバータ、  ４  無線通信部、  ５  ＬＥＤ、  ６  表示部、  ７  筐体、  ８  ＬＥＤモジュール基板、９  天井、  １０  端末、  １１  制御部、  １２  蓄電池、  １３  照度センサ、  １４  人感センサ
【図１】
2019216066.tif 000003
【図２】
2019216066.tif 000004
【図３】
2019216066.tif 000005
【図４】
2019216066.tif 000006
【図５】
2019216066.tif 000007
【図６】
2019216066.tif 000008
【図７】
2019216066.tif 000009
【図８】
2019216066.tif 000010
【図９】
2019216066.tif 000011
【図１０】
2019216066.tif 000012